(57)【要約】  【課題】  設計の自由度が高く簡単に製造できるとともに、美観を向上して結露を低減できる風向板及びそれを用いた空気調和機を提供することを目的とする。  【解決手段】  空気流出口２を開閉するとともに空気の風向を可変する風向板１０において、押し出し成形されるとともに空気流出口２を閉じた際に表面が露出する表面部材１１と、押し出し成形により形成して表面部材１１の裏面を覆うように係合爪１２ａ、１２ｂ及び嵌合部１２ｃにより係着される裏面部材１２と、裏面部材１２に設けられた孔部１５に挿通される軸受部１３ａと孔部１５の周縁に掛止される支持部１３ｂとを有して表面部材１１及び裏面部材１２に挟持される軸受部材１３と、表面部材１１及び裏面部材１２の長手方向の端部を覆うカバー部材１４とを備えた。【選択図】      図２
2005121306.tif 000002
【特許請求の範囲】
【請求項１】
空気流出口を開閉するとともに空気の風向を可変する風向板において、空気流出口を閉じた際に表面が露出する表面部材と、前記表面部材の裏面を覆う裏面部材と、前記表面部材及び裏面部材に一体化して軸支される軸受部材とを備えたことを特徴とする風向板。
【請求項２】
前記表面部材と前記裏面部材とを係合部により係着したことを特徴とする請求項１に記載の風向板。
【請求項３】
前記裏面部材の露出部分の幅が前記表面部材の幅よりも狭く、長手方向に延びて視認される前記表面部材と前記裏面部材との境界線が前記表面部材の裏面側に形成されることを特徴とする請求項１または請求項２に記載の風向板。
【請求項４】
前記表面部材及び前記裏面部材を押し出し成形により形成したことを特徴とする請求項１〜請求項３のいずれかに記載の風向板。
【請求項５】
前記軸受部材は、前記裏面部材に設けられた孔部に挿通される軸受部と、前記孔部の周縁に掛止される支持部とを有し、前記表面部材及び前記裏面部材に狭持されることを特徴とする請求項１〜請求項４のいずれかに記載の風向板
【請求項６】
前記表面部材及び前記裏面部材の長手方向の端部を覆うとともに軸支可能なカバー部材を設けたことを特徴とする請求項１〜請求項５のいずれかに記載の風向板。
【請求項７】
前記カバー部材は、前記表面部材と前記裏面部材との間に挿通される挿通部と、前記表面部材または前記裏面部材と係合して脱落を防止する抜け止め部とを有することを特徴とする請求項６に記載の風向板。
【請求項８】
請求項１〜請求項７のいずれかに記載の風向板を備えたことを特徴とする空気調和機。
【発明の詳細な説明】
【技術分野】
【０００１】
本発明は、空気流出口を開閉するとともに空気の風向を可変する風向板及びそれを用いた空気調和機に関する。
【背景技術】
【０００２】
従来の風向板は特許文献１、２に開示されている。これらの風向板は押し出し成形により形成された板状部材と、支軸が嵌合して軸支可能な複数の軸受部材とを有している。特許文献１では軸受部材は板状部材に超音波溶着されている。特許文献２では板状部材の幅方向の両端縁に長手方向に延びた嵌合溝が形成され、軸受部材は該嵌合溝に嵌合して取り付けられている。軸受部材を軸支することにより風向板が回動して空気流出口から送出される空気の風向を可変することができる。
【特許文献１】特開平１１−１０８４３３号公報（第２頁−第３頁、第４図）
【特許文献２】特開平１１−２４５３号公報（第２頁−第３頁、第２図）
【発明の開示】
【発明が解決しようとする課題】
【０００３】
しかしながら、上記特許文献１に開示された風向板によると、超音波溶着装置が必要となり風向板のコストがかかる。また、板状部材を複雑な形状にすると軸受部材を超音波溶着できないため、風向板の設計の自由度が低い問題があった。また、上記特許文献２に開示された風向板によると、風向板の裏面側に長手方向に延びる溝が形成されるため、美観を損ねる問題がある。また、軸受部材が嵌合していない部分では溝の段差によって乱流が発生し、乱流による結露が発生し易いという問題もあった。
【０００４】
本発明は、設計の自由度が高く簡単に製造できるとともに、美観を向上して結露を低減できる風向板及びそれを用いた空気調和機を提供することを目的とする。
【課題を解決するための手段】
【０００５】
上記目的を達成するために本発明は、空気流出口を開閉するとともに空気の風向を可変する風向板において、空気流出口を閉じた際に表面が露出する表面部材と、前記表面部材の裏面を覆う裏面部材と、前記表面部材及び裏面部材に一体化して軸支される軸受部材とを備えたことを特徴としている。この構成によると、表面部材の裏面を覆うように裏面部材が取り付けられ、表面部材及び裏面部材により挟持すること等によって軸受部材が取り付けられる。軸受部材を軸支することにより風向板が回動可能に支持される。
【０００６】
表面部材と裏面部材とは係合爪等の係合部により係着するとよい。裏面部材の露出部分の幅を表面部材の幅よりも狭くし、長手方向に延びて視認される表面部材と裏面部材との境界線を表面部材の裏面側に形成してもよい。また表面部材及び裏面部材を押し出し成形により形成してもよい。
【０００７】
また本発明は、上記構成の風向板において、前記軸受部材は、前記裏面部材に設けられた孔部に挿通される軸受部と、前記孔部の周縁に掛止される支持部とを有し、前記表面部材及び前記裏面部材に狭持されることを特徴としている。この構成によると、裏面部材に形成された孔部に軸受部を挿通し、支持部を孔部の周縁に掛止した状態で裏面部材と表面部材とを固着して軸受部材が挟持される。
【０００８】
また本発明は、上記構成の風向板において、前記表面部材及び前記裏面部材の長手方向の端部を覆うとともに軸支可能なカバー部材を設けたことを特徴としている。カバー部材には、表面部材と裏面部材との間に挿通される挿通部と、表面部材または裏面部材と係合して脱落を防止する抜け止め部とを設けるとよい。
【０００９】
また本発明の空気調和機は、上記各構成の風向板を備えたことを特徴としている。
【発明の効果】
【００１０】
本発明によると、表面部材と、裏面部材と、表面部材及び裏面部材に一体化して軸支される軸受部材とを備えたので、表面部材及び裏面部材に軸受部材を挟持等により取り付けることができる。
【００１１】
また本発明によると、表面部材に裏面部材を係着により簡単に取り付けることができる。
【００１２】
また本発明によると、裏面部材の露出部分の幅が表面部材の幅よりも狭く、長手方向に延びて視認される表面部材と裏面部材との境界線が表面部材の裏面側に形成されるので、空気流出口の外側から境界線が容易に視認されず、より美観を向上することができるとともに結露を防止することができる。
【００１３】
また本発明によると、表面部材及び裏面部材を押し出し成形により形成することができる。従って、長さの異なる機種に同じ金型を用いることができるため、生産効率の向上およびそれに伴う部材コストの低減が可能となるとともに、金型費用を削減することができる。
【００１４】
また本発明によると、軸受部材は裏面部材に設けられた孔部に挿通される軸受部と、孔部の周縁に掛止される支持部とを有し、表面部材と裏面部材により挟持されるので、従来例のような軸受部材を取り付けるための溝が形成されない。従って、美観を向上できるとともに、乱流の発生を防止して結露を防止することができる。また、設計の自由度が高く、簡単に風向板を製造することができる。
【００１５】
また本発明によると、表面部材及び裏面部材の長手方向の端部を覆うとともに軸支可能なカバー部材を設けたので、風向板を安定して回動可能に支持するとともに表面部材と裏面部材との間の空間を端部で塞ぐことができる。また、長さの異なる風向板に同じカバー部材を用いることができる。
【００１６】
また本発明によると、カバー部材は、表面部材と裏面部材との間に挿通される挿通部と、表面部材または裏面部材と係合して脱落を防止する抜け止め部とを有するので、容易にカバー部材を取り付けることができるとともに、表面部材とカバー部材との外観上の段差をなくして美観を向上させることができる。
【発明を実施するための最良の形態】
【００１７】
以下に本発明の実施形態を図面を参照して説明する。図１は一実施形態の空気調和機を示す部分側面断面図である。空気調和機１は筐体７の前面が開口した空気流出口２が設けられる。筐体７内には取り込まれた空気が熱交換する熱交換器３が配置される。熱交換器３と熱交換した空気が空気流出口２から室内に送出される。
【００１８】
空気流出口２の後方には風向を可変する横ルーバ１０（風向板）及び縦ルーバ４が設けられる。横ルーバ１０は左右方向に延びた板状に形成され、支持部材５に取付けられるシャフト（不図示）を挿通して回動可能に支持されている。横ルーバ１０の回動によって空気流出口２から送出される空気の上下方向の風向が可変される。また、空気調和機１の不使用時には横ルーバ１０によって空気流出口２が閉じられる。
【００１９】
縦ルーバ４は複数の羽根を左右方向に並設して構成されている。各羽根は固定部材６により連動して回動可能に支持されている。縦ルーバ４の回動によって空気流出口２から送出される空気の左右方向の風向が可変される。
【００２０】
図２は横ルーバ１０の外観斜視図を示している。横ルーバ１０は表面部材１１及び裏面部材１２（図３参照）により板状に形成されている。表面部材１１及び裏面部材１２の長手方向の両端にはシャフト１４ａを有したカバー部材１４が設けられている。
【００２１】
図３は横ルーバ１０の分解斜視図を示している。表面部材１１及び裏面部材１２はそれぞれ長手方向に同一の断面形状を有しており、押し出し成形により形成されている。これにより、射出成形よりも安価に形成できるとともに、長手方向の長さを可変して異なる機種に対して同じ金型を使用することができる。このため、生産効率の向上およびそれに伴う部材コストの低減が可能となるとともに、金型費用を節約することができる。また、カバー部材１４や後述する軸受部材１３を異なる機種に対して共通にすることができる。
【００２２】
表面部材１１の表面１１ｆは空気流出口２（図１参照）を閉じた際に空気調和機１の外面側に露出する。表面部材１１の裏面側は裏面部材１２で覆われる。表面部材１１及び裏面部材１２の断面図を図４に示すと、表面部材１１は表面１１ｆが長手方向に延びた波状に形成されている。裏面部材１２も波状にしてもよい。また、表面部材１１や裏面部材１２にローレット加工等を施してもよい。表面部材１１の裏面側には開口部１１ｃが形成され、開口部１１ｃ内に長手方向に延びる複数の嵌合溝１１ｅが形成されている。
【００２３】
裏面部材１２には長手方向に延びる複数の嵌合突起１２ｃが形成され、幅方向（図中、左右方向）の両端には係合爪１２ａ、１２ｂが形成される。表面部材１１に裏面部材１２を取り付ける際にはまず図５に示すように一方の係合爪１２ａを開口部１１ｃの端縁に係合する。
【００２４】
次に、嵌合突起１２ｃを嵌合溝１１ｅに嵌合して係合爪１２ｂを開口部１１ｃの端縁に係合する。これにより、図６に示すように表面部材１１と裏面部材１２とが一体化される。この時、表面部材１１と裏面部材１２との間には空洞部１０ｂが形成される。尚、嵌合溝１１ｅと嵌合突起１２ｃや、係合爪１２ａ、１２ｂと開口部１１ｃの端縁によって表面部材１１と裏面部材１２とを係着する係合部が構成される。
【００２５】
表面部材１１の開口部１１ｃに裏面部材１２が嵌合されるようにこれらを形成すると、開口部１１ｃの端縁と裏面部材１２との隙間から成る境界線１０ａの幅を狭くすることができる。従って、境界線１０ａが容易に視認されず、空気調和機１の美観を向上することができる。また、境界線１０ａが横ルーバー１０の両淵に形成される場合に比べ、境界線１０ａに隙間が生じた場合でも風の流れを乱し難いため、結露の発生を抑制することができる。さらに、空洞部１０ｂに断熱材を充填すると横ルーバー１０の内部への空気の侵入が抑制でき、より結露を防止することができる。
【００２６】
また、裏面部材１２の幅は表面部材１１の幅よりも狭く、境界線１０ａは空気調和機１の外面側に露出しない表面部材１１の裏面側に形成される。従って、境界線１０ａの視認性を更に低下させ、空気調和機１の美観をより向上することができる。
【００２７】
尚、嵌合溝１１ｅ及び嵌合突起１２ｃを省いて係合爪１２ａ、１２ｂのみにより裏面部材１２を表面部材１１に取り付けてもよい。また、表面部材１１と裏面部材１２とを接着やネジ止めしてもよい。
【００２８】
図３において、裏面部材１２には複数の矩形の孔部１５が長手方向に並設される。孔部１５には軸受部材１３の軸受部１３ａが挿通され、軸受部１３ａの端部に鍔状に形成された支持部１３ｂが孔部１５の周縁に掛止される。この状態で裏面部材１２を表面部材１１に取り付けることによって軸受部材１３が挟持される。軸受部材１３を裏面部材１２に接着やネジ止めしてもよい。
【００２９】
尚、孔部１５の形状は矩形に限られず、円形、楕円形、菱形等のどのような形状であってもよい。また、軸受部材１３の個数は横ルーバ１０の長さに応じて決められる。
【００３０】
裏面部材１２の長手方向の両端には切欠き部１７が形成され、切欠き部１７の内側に抜け止め孔１６が穿設される。カバー部材１４はシャフト１４ａを有して表面部材１１と裏面部材１２の端面に当接する当接部１４ｅを有している。当接部１４ｅには裏面部材１２の表面（横ルーバ１０の裏面側）に当接する延設部１４ｄが長手方向に延びて設けられる。延設部１４ｄの端部には抜け止め孔１６に嵌合する抜け止め部１４ｃが突設されている。また、延設部１４ｄに面した複数の挿通部１４ｂが当接部１４ｅから延びて形成されている。
【００３１】
図７は図２のＡ−Ａ’断面図を示し、カバー部材１４の取り付け状態を示している。カバー部材１４は表面部材１１と裏面部材１２の端面から差し込んで取り付けられる。挿通部１４ｂは表面部材１１に形成された空洞部１１ｄ及び表面部材１１と裏面部材１２との間の空洞部１０ｂに嵌合状態で挿通される。
【００３２】
当接部１４ｅが表面部材１１及び裏面部材１２に当接した状態で抜け止め部１４ｃは抜け止め孔１６に嵌合する。これにより、カバー部材１４を容易に抜け止めして取り付けることができる。尚、切欠き部１７（図３参照）は挿通部１４ｂを係合させるとともにカバー部材１４を取付ける際のガイドの役目を果たすため、カバー部材１４を容易に取り付けできるようになっている。また、カバー部材１４の外面と表面部材１１の外面が同じ面上に配されるように外形を形成すると、横ルーバ１０の端部の可視範囲に不要な段差が生じず、美観を損ねることがない。
【００３３】
本実施形態によると、軸受部材１３は表面部材１１及び裏面部材１２により挟持されるので超音波接着を必要とせず、横ルーバ１０の表面形状を自由に形成することができる。従って、横ルーバ１０の設計の自由度が高くなる。また、低コストで簡単に横ルーバ１０を製造することができる。また、表面部材１１の裏面が裏面部材１２により覆われるので長手方向に延びる溝が形成されず、美観を向上できる。
【産業上の利用可能性】
【００３４】
本発明によると、設計の自由度が高く簡単に製造できるとともに、美観を向上して結露を低減できる風向板及びそれを用いた空気調和機を得ることができる。
【図面の簡単な説明】
【００３５】
【図１】は、本発明の実施形態の空気調和機を示す部分側面断面図である。
【図２】は、本発明の実施形態の空気調和機の風向板を示す斜視図である。
【図３】は、本発明の実施形態の空気調和機の風向板を示す分解斜視図である。
【図４】は、本発明の実施形態の空気調和機の表面部材及び裏面部材の取り付け状態を説明する断面図である。
【図５】は、本発明の実施形態の空気調和機の表面部材及び裏面部材の取り付け状態を説明する断面図である。
【図６】は、本発明の実施形態の空気調和機の表面部材及び裏面部材の取り付け状態を説明する断面図である。
【図７】は、本発明の実施形態の空気調和機のカバー部材の取り付け状態を説明する断面図である。
【符号の説明】
【００３６】
１    空気調和機
２    空気流出口
３    熱交換器
４    縦ルーバ
５    横ルーバ支持部
６    縦ルーバ支持部
１０    横ルーバ（風向板）
１０ａ  境界線
１０ｂ  空洞部
１１    表面部材
１１ｄ  空洞部
１１ｅ  嵌合溝
１２    裏面部材
１２ａ、１２ｂ  係合爪
１２ｃ  嵌合突起
１３    軸受部材
１３ａ  軸受部
１３ｂ  支持部
１４    カバー部材
１４ｂ  挿通部
１４ｃ  抜け止め部
１５    孔部
１６    抜け止め孔
１７    切欠き部
【図１】
2005121306.tif 000003
【図２】
2005121306.tif 000004
【図３】
2005121306.tif 000005
【図４】
2005121306.tif 000006
【図５】
2005121306.tif 000007
【図６】
2005121306.tif 000008
【図７】
2005121306.tif 000009